(57)【要約】【課題】流入する液体の流速が速い場合においても、液体中の磁性物を吸着除去する力を高めることが可能なマグネットフィルターを提供する。【解決手段】マグネットフィルター１は、磁性物が混入した液体の流入口１１と磁性物除去後の液体の流出口１２とを備える有底のケース２と、ケース２の開口側に取り外し可能に備えられる蓋部５と、蓋部５に固定されてケース２内部に配置される、磁性物を吸着する円筒形磁石６とを備えるマグネットフィルターであって、円筒形磁石６は、外径が６５ｍｍ以上であって、且つ表面磁力が１１０００ガウス以上に形成されている。【選択図】図１
0003120813.tif 000002
【実用新案登録請求の範囲】
【請求項１】
磁性物が混入した液体の流入口と前記磁性物除去後の液体の流出口とを備える有底のケースと、前記ケースの開口側に取り外し可能に備えられる蓋部と、前記蓋部に固定されて前記ケース内部に配置される、前記磁性物を吸着する円筒形磁石とを備えるマグネットフィルターであって、
前記円筒形磁石は、外径が６５ｍｍ以上であって、且つ表面磁力が１１０００ガウス以上に形成されていることを特徴とするマグネットフィルター。
【請求項２】
磁性物が混入した液体の流入口と前記磁性物除去後の液体の流出口とを備える有底のケースと、前記ケースの開口側に取り外し可能に備えられる蓋部と、前記蓋部に固定されて前記ケース内部に配置される、前記磁性物を吸着する複数の円筒形磁石とを備えるマグネットフィルターであって、
前記複数の円筒形磁石のうち１本は、外径が他の円筒形磁石の外径に対して径大に形成され、その外径は６５ｍｍ以上であって、且つ表面磁力が１１０００ガウス以上に形成されていることを特徴とするマグネットフィルター。
【考案の詳細な説明】
【技術分野】
【０００１】
本考案は、液体中の磁性物を吸着除去するマグネットフィルターに関する。
【背景技術】
【０００２】
従来のマグネットフィルターとして、例えば図９及び図１０に示すマグネットフィルターが知られている。
図９及び図１０に示すマグネットフィルター４０は、磁性物が混入した液体の流入口４１と磁性物除去後の液体の流出口４２とを備える有底円筒状のケース４３と、ケース４３の開口側に取り外し可能に備えられる円盤状の蓋部４４と、蓋部４４に固定されてケース４３内部に配置される、磁性物を吸着する複数の円筒形磁石４５とを備えている。そして、各円筒形磁石４５は、有底円筒形の磁石用ケースに円筒形永久磁石を複数収容することにより形成されており、複数の円筒形磁石４５のうち１本はその中心軸とケース４３の中心軸とが同一軸上に位置するように配置され、他の円筒形磁石４５は前記１本の円筒形磁石４５の周囲の同心円上に配置されている。また、全ての円筒形磁石４５は、外径が２０ｍｍから２５ｍｍであって、表面磁力が１００００ガウスの同一寸法のものが用いられている。さらに、流入口４１及び流出口４２には、テーパー状に形成された筒状部材である流入パイプ４６及び流出パイプ４７が接続されている。
【０００３】
そして、マグネットフィルター４０は、流入パイプ４６から流入口４１を介してケース４３に流入する磁性物が混入した液体に対し、円筒形磁石４５の磁力を作用させ、液体中の磁性物を円筒形磁石４５の表面に吸着し、磁性物が混入していない液体を流出口４２を介して流出パイプ４７に流出させる。
【非特許文献１】著作者  三角  勇、製品カタログ「ＳＥＩＨＯ製品案内」、株式会社セイホー、２００３年１０月３１日発行、Ｐ１５
【考案の開示】
【考案が解決しようとする課題】
【０００４】
しかしながら、この種のマグネットフィルター４０においては、全ての円筒形磁石４５が同一寸法に形成され、その外径は液体の流入口４１の外径に対して小さく形成されているため、液体中に混入した磁性物を吸着する力が弱く、ケース４３内に流入する液体の流速が速い場合においては磁性物を除去しきれない場合があるという問題点があった。
本考案は上記した従来技術の問題点を解決するためになされたものであり、その目的は、流入する液体の流速が速い場合においても、液体中の磁性物を吸着除去する力を高めることが可能なマグネットフィルターを提供することにある。
【課題を解決するための手段】
【０００５】
本考案のうち請求項１に係るマグネットフィルターは、磁性物が混入した液体の流入口と前記磁性物除去後の液体の流出口とを備える有底のケースと、前記ケースの開口側に取り外し可能に備えられる蓋部と、前記蓋部に固定されて前記ケース内部に配置される、前記磁性物を吸着する円筒形磁石とを備えるマグネットフィルターであって、
前記円筒形磁石は、外径が６５ｍｍ以上であって、且つ表面磁力が１１０００ガウス以上に形成されていることを特徴とする。
【０００６】
また、本考案のうち請求項２に係るマグネットフィルターは、磁性物が混入した液体の流入口と前記磁性物除去後の液体の流出口とを備える有底のケースと、前記ケースの開口側に取り外し可能に備えられる蓋部と、前記蓋部に固定されて前記ケース内部に配置される、前記磁性物を吸着する複数の円筒形磁石とを備えるマグネットフィルターであって、
前記複数の円筒形磁石のうち１本は、外径が他の円筒形磁石の外径に対して径大に形成され、その外径は６５ｍｍ以上であって、且つ表面磁力が１１０００ガウス以上に形成されていることを特徴とする。
【考案の効果】
【０００７】
本願請求項１に係るマグネットフィルターによれば、円筒形磁石は、外径が６５ｍｍ以上であって、且つ表面磁力が１１０００ガウス以上に形成されている構成により、円筒形磁石の表面磁力及び磁性物の吸着面積を増加することで、マグネットフィルターの液体中の磁性物の吸着力を高めることが可能となり、流入する液体の流速が速い場合においても流体中の磁性物を除去することが可能となる。
【０００８】
また、本願請求項２に係るマグネットフィルターによれば、複数の円筒形磁石のうち１本は、外径が他の円筒形磁石の外径に対して径大に形成され、その外径は６５ｍｍ以上であって、且つ表面磁力が１１０００ガウス以上に形成されている構成により、円筒形磁石の表面磁力及び磁性物の吸着面積を増加することで、マグネットフィルターの液体中の磁性物の吸着力を高めることが可能となり、流入する液体の流速が速い場合においても流体中の磁性物を除去することが可能となる。
【考案を実施するための最良の形態】
【０００９】
以下、本考案の第一実施形態に係るマグネットフィルターを図面を参照して説明する。
図１は本考案の第一実施形態に係るマグネットフィルターの正面図である。図２はマグネットフィルターの平面図である。図３はケースの側面図である。図４は蓋部と円筒形磁石との組合せの状態を示す断面図である。
マグネットフィルター１は、図１から図３に示すように、ケース２と、流入パイプ３と、流出パイプ４と、蓋部５と、円筒形磁石６とを備えている。
【００１０】
ケース２は、有底の円筒部材９と、円筒部材９の開口端外周に設けられたフランジ部１０と、磁性物が混入した液体が流入する流入口１１と、磁性物除去後の液体が流出する流出口１２とを備えている。そして、流入口１１と流出口１２とは、円筒部材９の側面であって、流入口１１と流出口１２とが円筒部材９の中心軸を介して対向する位置に設けられている。
【００１１】
流入パイプ３は、テーパー状に形成された筒状部材である。そして、流入パイプ３は、その径大側がケース２の外側面であって、流入パイプ３の開口と流入口１１とが一致する位置に接続される。
流出パイプ４は、テーパー状に形成された筒状部材である。そして、流出パイプ４は、その径大側がケース２の外側面であって、流入パイプ２の開口と流出口１２とが一致する位置に接続される。
【００１２】
蓋部５は、外周がフランジ部１０の外周と略一致する円盤状に形成された蓋本体部１５と、蓋本体部１５の下面から突出するように設けられた嵌合部１６と、蓋本体部１５の上面に設けられた把持部１７とを備えている。そして、嵌合部１６は、外周が円筒部材９の内周と略一致する円盤状に形成され、蓋本体部１５の下面において、蓋本体部１５の中心部と嵌合部１６の中心部とが一致するように設けられている。また、把持部１７は、円柱状の棒状体をコ字形に折り曲げて形成され、その両端部が蓋本体部１５の上面に固定されている。そして、蓋部５は、ケース２の開口側に取り外し可能に備えられている。
【００１３】
円筒形磁石６は、図４に示すように、有底円筒形の磁石用ケース２０と、磁石用ケース２０の内部において、隣り合う永久磁石の磁極が互いに反発するように配置された複数のリング状永久磁石２１と、隣接するリング状永久磁石２１間及び両端のリング状永久磁石２１の両側に設置された軟鉄製ヨーク２２とを備えている。
ここで、磁石用ケース２０の外径は、６５ｍｍ以上に形成されている。また、各リング状永久磁石２１は、外径が磁石用ケース２０の内径と略同一に形成されるとともに、表面磁力が１１０００ガウス以上に形成されている。そして、円筒形磁石６は、嵌合部１６の下面において、磁石用ケース２０の底面中心部と嵌合部１６の中心部とが一致するように設けられている。これにより、円筒形磁石２１に吸着された磁性物を容易に除去することが可能となる。
【００１４】
かかる構成により、マグネットフィルター１によれば、従来のマグネットフィルター４０に対して、磁性物の吸着面積を１４％以上増加するとともに、表面磁力を１００００ガウスから１１０００ガウスへと増加することが可能となる。したがって、マグネットフィルター１によれば、液体中の磁性物の吸着力を高めることが可能となり、ケース２に流入する液体の流速が速い場合においても流体中の磁性物を除去することが可能となる。
【００１５】
ケース２と蓋部５とは、蓋部５の把持部１７を把持して、嵌合部１６の下方に延びる円筒形磁石６をケース２の内部に挿入するとともに、嵌合部１６をケース２の内部に嵌合することにより組み合わされる。そして、ケース２のフランジ部１０と蓋部５の蓋本体部１５とを固定具（図示せず）により挟み込むことで固定される。そして、ケース２と蓋部５とが組み合わされた状態においては、円筒形磁石６の中心軸とケース２の中心軸とが同一軸上に位置することとなる。
【００１６】
マグネットフィルター１は、ケース２と蓋部５とが組み合わされた状態で使用され、円筒形磁石６により磁性物が混入した液体から磁性物を分離する。ここで、磁性物としては、鉄、ステンレス、コバルト、ニッケル、及び石や泥中の酸化鉄等が挙げられる。
マグネットフィルター１による磁性物の除去においては、まず、流入パイプ３の径小側から磁性物が混入した液体を流入させる。
【００１７】
流入された磁性物が混入した液体は、流入口１１を介してケース２の内部に流入する。
そして、ケース２内部に流入した磁性物が混入した液体は、円筒形磁石６によりケース２内部において左右に流れが分割される。この場合において、円筒形磁石６の磁石用ケース２０の外径は６５ｍｍ以上に形成されているため、円筒形磁石６はケース２内に流入してくる液体の流れに対して大きな抵抗となり、液体の流れが大きく変化する。
この際、液体中の磁性物は、円筒形磁石６の磁力により引き付けられ、円筒形磁石６の磁石用ケース２０表面における軟鉄製ヨーク２２に対応する部分に吸着されることとなる。
この結果、磁性物が混入していない液体が流出路１２を介して流出パイプ４へと流出される。
【００１８】
そして、全ての磁性物が混入した液体がマグネットフィルター１を通過した後に、ケース２のフランジ部１０と蓋部５の蓋本体部１５とを固定する固定具を取り外し、ケース２と蓋部５との組合せを解除し、蓋部５の把持部１７を把持して、ケース２の内部から円筒形磁石５を取り出し、円筒形磁石６の表面に吸着している磁性物を除去することができる。
また、再度マグネットフィルター１を使用する場合には、蓋部５の把持部１７を把持して、嵌合部１６の下方に延びる円筒形磁石６をケース２の内部に挿入するとともに、嵌合部１６をケース２の内部に嵌合することによりケース２と蓋部５とを組み合わせ、ケース２のフランジ部１０と蓋部５の蓋本体部１５とを固定具により固定して使用する。
【００１９】
次に、本発明の第二実施形態について図面を参照して説明する。
図５は本考案の第二実施形態に係るマグネットフィルターを正面から見た断面図である。図６はマグネットフィルターの平面図である。図７はケースの側面図である。図８は蓋部と円筒形磁石との組合せを示す側面図である。
マグネットフィルター３０の基本的構成は、マグネットフィルター１と同様であるため、同一の構成については同一の符号を付して説明を省略する。
【００２０】
マグネットフィルター３０は、図６から図８に示すように、ケース２と、流入パイプ３と、流出パイプ４と、蓋部５と、主円筒形磁石３１と、複数の副円筒形磁石３２とを備えている。
主円筒形磁石３１及び各副円筒形磁石３２は、有底円筒形の磁石用ケース２０と、磁石用ケース２０の内部において、隣り合う永久磁石の磁極が互いに反発するように配置された複数のリング状永久磁石２１と、隣接するリング状永久磁石２１間及び両端のリング状永久磁石２１の両側に設置された軟鉄製ヨーク２２とを備えている。
【００２１】
ここで、主円筒形磁石３１の磁石用ケース２０の外径は、副円筒形磁石３２の磁石用ケース２０の外径に対して大きく形成されている。そして、主円筒形磁石３１の外径は６５ｍｍ以上に形成されている。特に、本実施形態においては、主円筒形磁石３１の磁石用ケース２０の外径は６５．４ｍｍ、副円筒形磁石の磁石用ケース２０の外径は２３ｍｍに形成されているが、かかる構成に限定されることはない。
【００２２】
また、各リング状永久磁石２１の外径は磁石用ケース２０の内径と略同一に形成されるとともに、表面磁力が１１０００ガウス以上に形成されている。
そして、主円筒形磁石３１は、嵌合部１６の下面において、主円筒形磁石３１の磁石用ケース２０の底面中心部と嵌合部１６の中心部とが一致するように設けられている。また、各副円筒形磁石３２は、嵌合部１６の下面において、主円筒形磁石３１の周囲の同心円上に主円筒形磁石３１と中心軸の延びる方向を同一にして配置される。これにより、液体中の磁性物を効率よく吸着除去することが可能となるとともに、主円筒形磁石３１及び副円筒形磁石３２に吸着された磁性物を容易に除去することが可能となる。ここで、本実施形態においては、副円筒形磁石３２は、蓋部３を平面視した状態において、各副円筒形磁石３２の中心部と嵌合部１６の中心部とを結ぶ直線の角度が６０°となるように等角度に６本配置されているが、副円筒形磁石３２の本数及び配置角度は適宜変更することが可能である。
【００２３】
かかる構成により、マグネットフィルター３０によれば、従来のマグネットフィルター４０に対して、磁性物の吸着面積を１００％以上増加するとともに、表面磁力を１００００ガウスから１１０００ガウスへと増加することが可能となる。したがって、マグネットフィルター３０によれば、液体中の磁性物の吸着力を高めることが可能となり、ケース２に流入する液体の流速が速い場合においても流体中の磁性物を除去することが可能となる。
【００２４】
ケース２と蓋部５とは、蓋部５の把持部１７を把持して、嵌合部１６の下方に延びる主円筒形磁石３１及び副円筒形磁石３２をケース２の内部に挿入するとともに、嵌合部１６をケース２の内部に嵌合することにより組み合わされる。そして、ケース２のフランジ部１０と蓋部５の蓋本体部１５とを固定具（図示せず）により挟み込むことで固定される。
【００２５】
ここで、ケース２と蓋部５とが組み合わされた状態においては、主円筒形磁石３１の中心軸とケース２の中心軸とが同一軸上に位置することとなる。また、副円筒形磁石３２は、主円筒形磁石３１の同心円上に中心軸の延びる方向を同一にして配置されることとなるが、この場合において、流入口１１及び流出口１２の各正面において、副円筒形磁石３２が１本ずつ、流入口１１の左右方向（図７における左右方向）中心部と流出口１２の左右方向中心部とを結んだ直円状に各副円筒形磁石３２の中心軸が位置するように配置されている。
【００２６】
マグネットフィルター３０による磁性物の除去においては、まず、流入パイプ３の径小側から磁性物が混入した液体を流入させる。
流入された磁性物が混入した液体は、流入口１１を介してケース２の内部に流入する。
そして、ケース２内部に流入した磁性物が混入した液体は、主円筒形磁石３１及び副円筒形磁石３２によりケース２内部において複数に流れが分割される。この場合において、主円筒形磁石３１の磁石用ケース２０の外径は、副円筒形磁石３２の磁石用ケース２０の外径に対して大きく形成されているとともに、その外径は６５ｍｍ以上に形成されているため、主円筒形磁石３１はケース２内に流入してくる液体の流れに対して大きな抵抗となり、液体の流れが大きく変化する。
【００２７】
この際、液体中の磁性物は、主円筒形磁石３１及び副円筒形磁石３２の磁力により引き付けられ、主円筒形磁石３１及び副円筒形磁石３２の磁石用ケース２０表面における軟鉄製ヨーク２２に対応する部分に吸着されることとなる。
この結果、磁性物が混入していない液体が流出路１２を介して流出パイプ４へと流出される。
【００２８】
そして、全ての磁性物が混入した液体がマグネットフィルター１を通過した後に、ケース２のフランジ部１０と蓋部５の蓋本体部１５とを固定する固定具を取り外し、ケース２と蓋部５との組合せを解除し、蓋部５の把持部１７を把持して、ケース２の内部から主円筒形磁石３１及び副円筒形磁石３２を取り出し、主円筒形磁石３１及び副円筒形磁石３２の表面に吸着している磁性物を除去することができる。
【００２９】
また、再度マグネットフィルター１を使用する場合には、蓋部５の把持部１７を把持して、嵌合部１６の下方に延びる主円筒形磁石３１及び副円筒形磁石３２をケース２の内部に挿入するとともに、嵌合部１６をケース２の内部に嵌合することによりケース２と蓋部５とを組み合わせ、ケース２のフランジ部１０と蓋部５の蓋本体部１５とを固定具により固定して使用する。
以上、本考案の第一及び第二実施形態について説明したが、本考案の実施形態においては、種々の変更を行うことが可能である。
【図面の簡単な説明】
【００３０】
【図１】本考案の第一実施形態に係るマグネットフィルターの正面図である。
【図２】マグネットフィルターの平面図である。
【図３】ケースの側面図である。
【図４】蓋部と円筒形磁石との組合せの状態を示す断面図である。
【図５】本考案の第二実施形態に係るマグネットフィルターを正面から見た断面図である。
【図６】マグネットフィルターの平面図である。
【図７】ケースの側面図である。
【図８】蓋部と円筒形磁石との組合せを示す側面図である。
【図９】従来のマグネットフィルターの正面図である。
【図１０】従来のマグネットフィルターの平面図である。
【符号の説明】
【００３１】
１    マグネットフィルター
２    ケース
３    流入パイプ
４    流出パイプ
５    蓋部
６    円筒形磁石
９    円筒部材
１０  フランジ部
１１  流入口
１２  流出口
１５  蓋本体
１６  嵌合部
１７  把持部
２０  磁石用ケース
２１  リング状永久磁石
２２  軟鉄製ヨーク
３０  マグネットフィルター
３１  主円筒形磁石
３２  副円筒形磁石
４０  マグネットフィルター
４１  流入口
４２  流出口
４３  ケース
４４  蓋部
４５  円筒形磁石
４６  流入パイプ
４７  流出パイプ
【図１】
0003120813.tif 000003
【図２】
0003120813.tif 000004
【図３】
0003120813.tif 000005
【図４】
0003120813.tif 000006
【図５】
0003120813.tif 000007
【図６】
0003120813.tif 000008
【図７】
0003120813.tif 000009
【図８】
0003120813.tif 000010
【図９】
0003120813.tif 000011
【図１０】
0003120813.tif 000012